(57)【特許請求の範囲】
【請求項１】
ワイヤレス通信の方法において、
装置において、ダウンリンクノードによって特定された無線リソースの割振りを使用して前記装置と通信するための要求を、前記ダウンリンクノードから受信することと、
前記装置において、アップリンクノードによって特定された無線リソースの割振りを使用して前記装置と通信するための要求を、前記アップリンクノードから受信することと、
前記ダウンリンクノードによって特定された無線リソースの割振りのうちの少なくとも一部を使用して前記装置と通信するための許可を、前記装置から前記ダウンリンクノードに送信することと、
前記アップリンクノードによって特定された無線リソースの割振りのうちの少なくとも一部を使用して前記装置と通信するための許可を、前記装置から前記アップリンクノードに送信することとを含み、
前記ダウンリンクノードへの許可における前記無線リソースの割振りのうちの一部は、前記アップリンクノードへの許可における前記無線リソースの一部とは異なり、それにより、前記装置と前記アップリンクノードとの間の通信は、前記装置と前記ダウンリンクノードとの間の通信と、同一のタイムスロットで直交し、
前記アップリンクノードおよび前記ダウンリンクノードは、前記装置を通して、互いに複数のホップ通信に関与している方法。
【請求項２】
通信のために前記ダウンリンクノードによって特定された無線リソースの割振りのうちの一部だけを指定することをさらに含み、前記ダウンリンクノードに送信される許可は、前記無線リソースの特定された割振りのうちの指定された部分を使用して通信するための許可を含む請求項１記載の方法。
【請求項３】
サービス品質要求に基づいて、前記ダウンリンクノードによる通信のために前記ダウンリンクノードによって特定された無線リソースの割振りのうちの少なくとも一部を指定することをさらに含み、前記ダウンリンクノードに送信される許可は、前記無線リソースの特定された割振りのうちの指定された部分を使用して通信するための許可を含む請求項１記載の方法。
【請求項４】
負荷に基づいて、前記ダウンリンクノードによる通信のために前記ダウンリンクノードによって特定された無線リソースの割振りのうちの少なくとも一部を指定することをさらに含み、前記ダウンリンクノードに送信される許可は、前記無線リソースの特定された割振りのうちの指定された部分を使用して通信するための許可を含む請求項１記載の方法。
【請求項５】
前記ダウンリンクノードによって特定された無線リソースの割振りは、周波数割当てを含む請求項１記載の方法。
【請求項６】
前記ダウンリンクノードによって特定された無線リソースの割振りは、拡散コード割当てを含む請求項１記載の方法。
【請求項７】
無線リソースの割当てを前記ダウンリンクノードに提供することをさらに含み、前記ダウンリンクノードの要求によって特定された無線リソースの割振りは、前記無線リソースの割当てからのものである請求項１記載の方法。
【請求項８】
無線リソースの第２の割当てを第２のダウンリンクノードに提供することをさらに含む請求項７記載の方法。
【請求項９】
前記ダウンリンクノードに送信される許可は、通信するために前記ダウンリンクノードによって特定されていない、追加の無線リソースを含む請求項１記載の方法。
【請求項１０】
前記ダウンリンクノードとの通信は、前記ダウンリンクノードから受信することを含む請求項１記載の方法。
【請求項１１】
前記ダウンリンクノードとの通信は、前記ダウンリンクノードに送信することを含む請求項１記載の方法。
【請求項１２】
ワイヤレス通信の方法において、
無線リソースの特定された割振りを使用してアップリンクノードと通信するための要求を、装置から前記アップリンクノードに送ることと、
無線リソースの特定された割振りを使用してダウンリンクノードと通信するための要求を、前記装置から前記ダウンリンクノードに送り、前記ダウンリンクノードと通信するための要求における前記リソースの特定された割振りは、前記アップリンクノードと通信するための要求における前記リソースの特定された割振りとは異なり、それにより、前記装置と前記アップリンクノードとの間の通信は、前記装置と前記ダウンリンクノードとの間の通信と、同一のタイムスロットで直交することと、
前記装置において、前記ダウンリンクノードへの要求において特定された無線リソースの割振りのうちの少なくとも一部を使用して前記ダウンリンクノードと通信するための許可を、前記ダウンリンクノードから受信することと、
前記装置において、前記アップリンクノードへの要求において特定された無線リソースの割振りのうちの少なくとも一部を使用して前記アップリンクノードと通信するための許可を、前記アップリンクノードから受信することとを含み、
前記アップリンクノードおよび前記ダウンリンクノードは、前記装置を通して、互いに複数のホップ通信に関与している方法。
【請求項１３】
前記アップリンクノードから受信される許可は、前記アップリンクノードへの要求において特定された無線リソースの割振りを使用して通信するための許可を含む請求項１２記載の方法。
【請求項１４】
前記アップリンクノードから受信される許可は、前記アップリンクノードへの要求において特定されたリソースの割振りのうちの一部だけを使用して通信するための許可を含む請求項１２記載の方法。
【請求項１５】
前記アップリンクノードへの要求において特定された無線リソースの割振りは、周波数割当てを含む請求項１２記載の方法。
【請求項１６】
前記アップリンクノードへの要求において特定された無線リソースの割振りは、拡散コード割当てを含む請求項１２記載の方法。
【請求項１７】
前記アップリンクノードに対する無線リソースは複数のチャネルを含み、前記無線リソースの割振りは、前記チャネルのうちの１つ以上を記述するチャネル識別子によって、前記アップリンクノードへの要求において特定される請求項１２記載の方法。
【請求項１８】
前記アップリンクノードに対する無線リソースは複数のチャネルを含み、前記無線リソースの割振りは、前記チャネルのうちの１つの部分集合を記述するチャネル識別子によって、前記アップリンクノードへの要求において特定される請求項１２記載の方法。
【請求項１９】
前記アップリンクノードへの要求において特定された無線リソースの割振りは連続である請求項１２記載の方法。
【請求項２０】
前記アップリンクノードへの要求において特定された無線リソースの割振りは非連続である請求項１２記載の方法。
【請求項２１】
ワイヤレス通信のための装置において、
ダウンリンクノードによって特定された無線リソースの割振りを使用して前記装置と通信するための要求を、前記ダウンリンクノードから受信し、アップリンクノードによって特定された無線リソースの割振りを使用して前記装置と通信するための要求を、前記アップリンクノードから受信し、前記ダウンリンクノードによって特定された無線リソースの割振りのうちの少なくとも一部を使用して前記装置と通信するための許可を、前記ダウンリンクノードに送信し、前記アップリンクノードによって特定された無線リソースの割振りのうちの少なくとも一部を使用して前記装置と通信するための許可を、前記アップリンクノードに送信するように構成されている媒体アクセス制御装置を具備し、
前記ダウンリンクノードへの許可における前記無線リソースの割振りのうちの一部は、前記アップリンクノードへの許可における前記無線リソースの一部とは異なり、それにより、前記装置と前記アップリンクノードとの間の通信は、前記装置と前記ダウンリンクノードとの間の通信と、同一のタイムスロットで直交し、
前記アップリンクノードおよび前記ダウンリンクノードは、前記装置を通して、互いに複数のホップ通信に関与している装置。
【請求項２２】
前記媒体アクセス制御装置は、通信のために前記ダウンリンクノードによって特定された無線リソースの割振りのうちの一部だけを指定するようにさらに構成されており、前記ダウンリンクノードに送信される許可は、前記無線リソースの特定された割振りのうちの指定された部分を使用して通信するための許可を含む請求項２１記載の装置。
【請求項２３】
前記媒体アクセス制御装置は、サービス品質要求に基づいて、前記ダウンリンクノードによる通信のために前記ダウンリンクノードによって特定された無線リソースの割振りのうちの少なくとも一部を指定するようにさらに構成されており、前記ダウンリンクノードに送信される許可は、前記無線リソースの特定された割振りのうちの指定された部分を使用して通信するための許可を含む請求項２１記載の装置。
【請求項２４】
前記媒体アクセス制御装置は、負荷に基づいて、前記ダウンリンクノードによる通信のために前記ダウンリンクノードによって特定された無線リソースの割振りのうちの少なくとも一部を指定するようにさらに構成されており、前記ダウンリンクノードに送信される許可は、前記無線リソースの特定された割振りのうちの指定された部分を使用して通信するための許可を含む請求項２１記載の装置。
【請求項２５】
前記ダウンリンクノードによって特定された無線リソースの割振りは、周波数割当てを含む請求項２１記載の装置。
【請求項２６】
前記ダウンリンクノードによって特定された無線リソースの割振りは、拡散コード割当てを含む請求項２１記載の装置。
【請求項２７】
前記媒体アクセス制御装置は、無線リソースの割当てを前記ダウンリンクノードに提供するようにさらに構成されており、前記ダウンリンクノードの要求によって特定された無線リソースの割振りは、前記無線リソースの割当てからのものである請求項２１記載の装置。
【請求項２８】
前記媒体アクセス制御装置は、無線リソースの第２の割当てを第２のダウンリンクノードに提供するようにさらに構成されている請求項２７記載の装置。
【請求項２９】
前記ダウンリンクノードに送信される許可は、通信するために前記ダウンリンクノードによって特定されていない、追加の無線リソースを含む請求項２１記載の装置。
【請求項３０】
前記媒体アクセス制御装置は、前記ダウンリンクノードから受信することによって、前記ダウンリンクノードと通信するようにさらに構成されている請求項２１記載の装置。
【請求項３１】
前記媒体アクセス制御装置は、前記ダウンリンクノードに送信することによって、前記ダウンリンクノードと通信するようにさらに構成されている請求項２１記載の装置。
【請求項３２】
ワイヤレス通信のための装置において、
無線リソースの特定された割振りを使用してアップリンクノードと通信するための要求を、前記アップリンクノードに送り、無線リソースの特定された割振りを使用してダウンリンクノードと通信するための要求を、前記ダウンリンクノードに送り、前記アップリンクノードへの要求において特定された無線リソースの割振りのうちの少なくとも一部を使用して前記アップリンクノードと通信するための許可を、前記アップリンクノードから受信し、前記ダウンリンクノードへの要求において特定された無線リソースの割振りのうちの少なくとも一部を使用して前記ダウンリンクノードと通信するための許可を、前記ダウンリンクノードから受信するように構成されている媒体アクセス制御装置を具備し、
前記ダウンリンクノードと通信するための要求における前記リソースの特定された割振りは、前記アップリンクノードと通信するための要求における前記リソースの特定された割振りとは異なり、それにより、前記装置と前記アップリンクノードとの間の通信は、前記装置と前記ダウンリンクノードとの間の通信と、同一のタイムスロットで直交し、
前記アップリンクノードおよび前記ダウンリンクノードは、前記装置を通して、互いに複数のホップ通信に関与している装置。
【請求項３３】
前記アップリンクノードから受信される許可は、前記アップリンクノードへの要求において特定された無線リソースの割振りを使用して通信するための許可を含む請求項３２記載の装置。
【請求項３４】
前記アップリンクノードから受信される許可は、前記アップリンクノードへの要求において特定されたリソースの割振りのうちの一部だけを使用して通信するための許可を含む請求項３２記載の装置。
【請求項３５】
前記アップリンクノードへの要求において特定された無線リソースの割振りは、周波数割当てを含む請求項３２記載の装置。
【請求項３６】
前記アップリンクノードへの要求において特定された無線リソースの割振りは、拡散コード割当てを含む請求項３２記載の装置。
【請求項３７】
前記アップリンクノードに対する無線リソースは複数のチャネルを含み、前記無線リソースの割振りは、前記チャネルのうちの１つ以上を記述するチャネル識別子によって、前記アップリンクノードへの要求において特定される請求項３２記載の装置。
【請求項３８】
前記アップリンクノードに対する無線リソースは複数のチャネルを含み、前記無線リソースの割振りは、前記チャネルのうちの１つの部分集合を記述するチャネル識別子によって、前記アップリンクノードへの要求において特定される請求項３２記載の装置。
【請求項３９】
前記アップリンクノードへの要求において特定された無線リソースの割振りは連続である請求項３２記載の装置。
【請求項４０】
前記アップリンクノードへの要求において特定された無線リソースの割振りは非連続である請求項３２記載の装置。
【請求項４１】
ワイヤレス通信のための装置において、
ダウンリンクノードによって特定された無線リソースの割振りを使用して前記装置と通信するための要求を、前記ダウンリンクノードから受信する手段と、
アップリンクノードによって特定された無線リソースの割振りを使用して前記装置と通信するための要求を、前記アップリンクノードから受信する手段と、
前記ダウンリンクノードによって特定された無線リソースの割振りのうちの少なくとも一部を使用して前記装置と通信するための許可を、前記ダウンリンクノードに送信する手段と、
前記アップリンクノードによって特定された無線リソースの割振りのうちの少なくとも一部を使用して前記装置と通信するための許可を、前記アップリンクノードに送信する手段とを具備し、
前記ダウンリンクノードへの許可における前記無線リソースの割振りのうちの一部は、前記アップリンクノードへの許可における前記無線リソースの一部とは異なり、それにより、前記装置と前記アップリンクノードとの間の通信は、前記装置と前記ダウンリンクノードとの間の通信と、同一のタイムスロットで直交し、
前記アップリンクノードおよび前記ダウンリンクノードは、前記装置を通して、互いに複数のホップ通信に関与している装置。
【請求項４２】
通信のために前記ダウンリンクノードによって特定された無線リソースの割振りのうちの一部だけを指定する手段をさらに含み、前記ダウンリンクノードに送信される許可は、前記無線リソースの特定された割振りのうちの指定された部分を使用して通信するための許可を含む請求項４１記載の装置。
【請求項４３】
サービス品質要求に基づいて、前記ダウンリンクノードによる通信のために前記ダウンリンクノードによって特定された無線リソースの割振りのうちの少なくとも一部を指定する手段をさらに含み、前記ダウンリンクノードに送信される許可は、前記無線リソースの特定された割振りのうちの指定された部分を使用して通信するための許可を含む請求項４１記載の装置。
【請求項４４】
負荷に基づいて、前記ダウンリンクノードによる通信のために前記ダウンリンクノードによって特定された無線リソースの割振りのうちの少なくとも一部を指定する手段をさらに含み、前記ダウンリンクノードに送信される許可は、前記無線リソースの特定された割振りのうちの指定された部分を使用して通信するための許可を含む請求項４１記載の装置。
【請求項４５】
前記ダウンリンクノードによって特定された無線リソースの割振りは、周波数割当てを含む請求項４１記載の装置。
【請求項４６】
前記ダウンリンクノードによって特定された無線リソースの割振りは、拡散コード割当てを含む請求項４１記載の装置。
【請求項４７】
無線リソースの割当てを前記ダウンリンクノードに提供する手段をさらに含み、前記ダウンリンクノードの要求によって特定された無線リソースの割振りは、前記無線リソースの割当てからのものである請求項４１記載の装置。
【請求項４８】
無線リソースの第２の割当てを第２のダウンリンクノードに提供する手段をさらに具備する請求項４７記載の装置。
【請求項４９】
前記ダウンリンクノードに送信される許可は、通信するために前記ダウンリンクノードによって特定されていない、追加の無線リソースを含む請求項４１記載の装置。
【請求項５０】
前記ダウンリンクノードとの通信は、前記第１のノードから受信することを含む請求項４１記載の装置。
【請求項５１】
前記第１のノードとの通信は、前記第１のノードに送信することを含む請求項４１記載の装置。
【請求項５２】
ワイヤレス通信のための装置において、
無線リソースの特定された割振りを使用してアップリンクノードと通信するための要求を、前記アップリンクノードに送る手段と、
無線リソースの特定された割振りを使用してダウンリンクノードと通信するための要求を、前記ダウンリンクノードに送る手段であって、前記ダウンリンクノードと通信するための要求における前記リソースの特定された割振りは、前記アップリンクノードと通信するための要求における前記リソースの特定された割振りとは異なり、それにより、前記装置と前記アップリンクノードとの間の通信は、前記装置と前記ダウンリンクノードとの間の通信と、同一のタイムスロットで直交する、手段と、
前記ダウンリンクノードへの要求において特定された無線リソースの割振りのうちの少なくとも一部を使用して前記ダウンリンクノードと通信するための許可を、前記ダウンリンクノードから受信する手段と、
前記アップリンクノードへの要求において特定された無線リソースの割振りのうちの少なくとも一部を使用して前記アップリンクノードと通信するための許可を、前記アップリンクノードから受信する手段とを具備し、
前記アップリンクノードおよび前記ダウンリンクノードは、前記装置を通して、互いに複数のホップ通信に関与している装置。
【請求項５３】
前記アップリンクノードから受信される許可は、前記アップリンクノードへの要求において特定された無線リソースの割振りを使用して通信するための許可を含む請求項５２記載の装置。
【請求項５４】
前記アップリンクノードから受信される許可は、前記アップリンクノードへの要求において特定されたリソースの割振りのうちの一部だけを使用して通信するための許可を含む請求項５２記載の装置。
【請求項５５】
前記アップリンクノードへの要求において特定された無線リソースの割振りは、周波数割当てを含む請求項５２記載の装置。
【請求項５６】
前記アップリンクノードへの要求において特定された無線リソースの割振りは、拡散コード割当てを含む請求項５２記載の装置。
【請求項５７】
前記アップリンクノードに対する無線リソースは複数のチャネルを含み、前記無線リソースの割振りは、前記チャネルのうちの１つ以上を記述するチャネル識別子によって、前記アップリンクノードへの要求において特定される請求項５２記載の装置。
【請求項５８】
前記アップリンクノードに対する無線リソースは複数のチャネルを含み、前記無線リソースの割振りは、前記チャネルのうちの１つの部分集合を記述するチャネル識別子によって、前記アップリンクノードへの要求において特定される請求項５２記載の装置。
【請求項５９】
前記アップリンクノードへの要求において特定された無線リソースの割振りは連続である請求項５２記載の装置。
【請求項６０】
ワイヤレス通信のためのコンピュータ読み取り可能記憶媒体において、
装置において、ダウンリンクノードによって特定された無線リソースの割振りを使用して前記装置と通信するための要求を、前記ダウンリンクノードから受信するためと、
前記装置において、アップリンクノードによって特定された無線リソースの割振りを使用して前記装置と通信するための要求を、前記アップリンクノードから受信するためと、
前記ダウンリンクノードによって特定された無線リソースの割振りのうちの少なくとも一部を使用して前記装置と通信するための許可を、前記ダウンリンクノードに送信するためと、
前記アップリンクノードによって特定された無線リソースの割振りのうちの少なくとも一部を使用して前記装置と通信するための許可を、前記アップリンクノードに送信するために、ワイヤレスノードにおける１つ以上のプロセッサによって実行可能な命令を含み、
前記ダウンリンクノードへの許可における前記無線リソースの割振りのうちの一部は、前記アップリンクノードへの許可における前記無線リソースの一部とは異なり、それにより、前記装置と前記アップリンクノードとの間の通信は、前記装置と前記ダウンリンクノードとの間の通信と、同一のタイムスロットで直交し、
前記アップリンクノードおよび前記ダウンリンクノードは、前記装置を通して、互いに複数のホップ通信に関与しているコンピュータ読み取り可能記憶媒体。
【請求項６１】
ワイヤレス通信のためのコンピュータ読み取り可能記憶媒体において、
無線リソースの特定された割振りを使用してアップリンクノードと通信するための要求を、装置から前記アップリンクノードに送るためと、
無線リソースの特定された割振りを使用してダウンリンクノードと通信するための要求を、前記装置から前記ダウンリンクノードに送るためと、
前記ダウンリンクノードへの要求において特定された無線リソースの割振りのうちの少なくとも一部を使用して前記ダウンリンクノードと通信するための許可を、前記ダウンリンクノードから受信するためと、
前記アップリンクノードへの要求において特定された無線リソースの割振りのうちの少なくとも一部を使用して前記アップリンクノードと通信するための許可を、前記アップリンクノードから受信するために、ワイヤレスノードにおける処理システムによって実行可能な命令を含み、
前記ダウンリンクノードと通信するための要求における前記リソースの特定された割振りは、前記アップリンクノードと通信するための要求における前記リソースの特定された割振りとは異なり、それにより、前記装置と前記アップリンクノードとの間の通信は、前記装置と前記ダウンリンクノードとの間の通信と、同一のタイムスロットで直交し、
前記アップリンクノードおよび前記ダウンリンクノードは、前記装置を通して、互いに複数のホップ通信に関与しているコンピュータ読み取り可能記憶媒体。
【請求項６２】
ワイヤレス通信のための中継ポイントにおいて、
ダウンリンクノードとアップリンクノードとの無線通信をサポートするように構成されているワイヤレスネットワークアダプターと、
前記ダウンリンクノードによって特定された無線リソースの割振りを使用して前記中継ポイントと通信するための要求を、前記ダウンリンクノードから受信し、前記アップリンクノードによって特定された無線リソースの割振りを使用して前記中継ポイントと通信するための要求を、前記アップリンクノードから受信し、前記ダウンリンクノードによって特定された無線リソースの割振りのうちの少なくとも一部を使用して前記中継ポイントと通信するための許可を、前記ダウンリンクノードに送信し、前記アップリンクノードによって特定された無線リソースの割振りのうちの少なくとも一部を使用して前記中継ポイントと通信するための許可を、前記アップリンクノードに送信するように構成されている媒体アクセス制御装置とを具備し、
前記ダウンリンクノードへの許可における前記無線リソースの割振りのうちの一部は、前記アップリンクノードへの許可における前記無線リソースの一部とは異なり、それにより、前記装置と前記アップリンクノードとの間の通信は、前記装置と前記ダウンリンクノードとの間の通信と、同一のタイムスロットで直交し、
前記アップリンクノードおよび前記ダウンリンクノードは、前記中継ポイントを通して、互いに複数のホップ通信に関与している中継ポイント。
【請求項６３】
ワイヤレス通信のための中継ポイントにおいて、
アップリンクノードとの無線通信をサポートするように構成されているワイヤレスネットワークアダプターと、
無線リソースの特定された割振りを使用して前記アップリンクノードと通信するための要求を、前記アップリンクノードに送り、無線リソースの特定された割振りを使用してダウンリンクノードと通信するための要求を、前記ダウンリンクノードに送り、前記アップリンクノードへの要求において特定された無線リソースの割振りのうちの少なくとも一部を使用して前記アップリンクノードと通信するための許可を、前記アップリンクノードから受信し、前記ダウンリンクノードへの要求において特定された無線リソースの割振りのうちの少なくとも一部を使用して前記ダウンリンクノードと通信するための許可を、前記ダウンリンクノードから受信するように構成されている媒体アクセス制御装置とを具備し、
前記ダウンリンクノードと通信するための要求における前記リソースの特定された割振りは、前記アップリンクノードと通信するための要求における前記リソースの特定された割振りとは異なり、それにより、前記装置と前記アップリンクノードとの間の通信は、前記装置と前記ダウンリンクノードとの間の通信と、同一のタイムスロットで直交し、
前記アップリンクノードおよび前記ダウンリンクノードは、前記中継ポイントを通して、互いに複数のホップ通信に関与している中継ポイント。
【請求項６４】
前記アップリンクノードは、アクセスポイントを含み、前記ダウンリンクノードは、アクセス端末を含む請求項１記載の方法。
【請求項６５】
前記アップリンクノードは、アクセスポイントを含み、前記ダウンリンクノードは、アクセス端末を含む請求項１２記載の方法。
【請求項６６】
前記アップリンクノードは、アクセスポイントを含み、前記ダウンリンクノードは、アクセス端末を含む請求項２１記載の装置。
【請求項６７】
前記アップリンクノードは、アクセスポイントを含み、前記ダウンリンクノードは、アクセス端末を含む請求項３２記載の装置。
【請求項６８】
前記アップリンクノードは、アクセスポイントを含み、前記ダウンリンクノードは、アクセス端末を含む請求項４１記載の装置。
【請求項６９】
前記アップリンクノードは、アクセスポイントを含み、前記ダウンリンクノードは、アクセス端末を含む請求項５２記載の装置。
【請求項７０】
前記アップリンクノードは、アクセスポイントを含み、前記ダウンリンクノードは、アクセス端末を含む請求項６０記載のコンピュータ読み取り可能記憶媒体。
【請求項７１】
前記アップリンクノードは、アクセスポイントを含み、前記ダウンリンクノードは、アクセス端末を含む請求項６１記載のコンピュータ読み取り可能記憶媒体。
【請求項７２】
前記アップリンクノードは、アクセスポイントを含み、前記ダウンリンクノードは、アクセス端末を含む請求項６２記載の中継ポイント。
【請求項７３】
前記アップリンクノードは、アクセスポイントを含み、前記ダウンリンクノードは、アクセス端末を含む請求項６３記載の中継ポイント。
【発明の詳細な説明】
【分野】
【０００１】
本開示は一般に、ワイヤレス通信に関し、より詳細には、排他的ではないが、ワイヤレスネットワークにおいて複数のホップに対して直交的にスケジュールするさまざまな技術に関する。
【背景】
【０００２】
ワイヤレスネットワークは、電話通信、データ、ビデオ、オーディオ、メッセージング、ブロードキャストなどのような、さまざまなサービスを消費者に提供するために広く展開されている。ワイヤレスネットワークにより、地方の、全国的な、または、さらには地球規模の領域にわたってブロードバンド通信が可能になる。そのようなネットワークは、ワイヤレスワイドエリアネットワーク（ＷＷＡＮ）と呼ばれることがある。ＷＷＡＮの１つの共通の例は、ＣＤＭＡ２０００をサポートするセルラネットワークであり、ＣＤＭＡ２０００は、コード分割多元接続（ＣＤＭＡ）を使用して、移動体加入者間で音声、データおよびシグナリングを送る電気通信標準規格である。ＷＷＡＮの別の例は、発展データ最適化（ＥＶ−ＤＯ）またはウルトラモバイルブロードバンド（ＵＭＢ）のような、移動体加入者にブロードバンドインターネットアクセスを提供するセルラネットワークであり、発展データ最適化（ＥＶ−ＤＯ）およびウルトラモバイルブロードバンド（ＵＭＢ）の両方は、無線インターフェース標準規格のＣＤＭＡ２０００ファミリの一部である。これらのセルラネットワークは一般に、複数のセルラ領域に対してカバレッジを提供し、移動体加入者をサーブするために、定位置設置の基地局が各セルに位置している。
【０００３】
ワイヤレスローカルエリアネットワーク（ＷＬＡＮ）として知られている、より小さいワイヤレスネットワークが、例えば、ＩＥＥＥ８０２．１１委員会によって標準化されている。ＷＬＡＮは、数十メートルから数百メートルにおよぶ地理的カバレッジにより、小さいエリアをカバーするように展開されている。ＷＬＡＮは無免許のスペクトルを使用して、ネットワークへのアクセスを提供し、通常、ネットワークオペレータ自身のプロパティだけをカバーする。一例として、多くのコーヒーショップ、ホテル、交通の中心は、インターネットへのＷＬＡＮアクセスポイントを含んでいる。
【０００４】
現在、アドホックワイヤレスネットワークが、音声、データ、オーディオ、ビデオ、メッセージングおよびマルチメディア（すなわち、コンテンツ）に対して長距離ワイヤレス通信を提供するように展開されている。アドホックワイヤレスネットワークは多数のワイヤレスノードによって形成され、多数のワイヤレスノードは、互いにつながって、バックホールサービスを他のワイヤレスノードに提供する。アドホックワイヤレスネットワークにおいて、コンテンツがその宛先に到達するまで、コンテンツは１つのワイヤレスノードから別のワイヤレスノードにルーティングされる。連続的な接続が、１つ以上の中間ノードを通して宛先に提供され、アドホックネットワークにおける１つ以上のワイヤレスノードが利用不能になるとき、１つ以上の中間ノードは、接続を維持するために動的に再構成されてもよい。
【０００５】
アドホックワイヤレスネットワークは、既存のインフラストラクチャによって現在提供されているワイヤレスカバレッジを拡張するユニークな機会を提供する。一例として、アドホックワイヤレスネットワークを使用して、セルラネットワークまたはＷＬＡＮの地理的範囲を拡張してもよい。アドホックワイヤレスネットワークはまた、ブロードバンドアクセスに対して、ケーブルおよびデジタル加入者回線（ＤＳＬ）の魅力的な代替を提供する。
【０００６】
アドホックワイヤレスネットワークの最近の出現および、ワイヤレス通信を向上させる大きな可能性とともに、これらのネットワークを通してコンテンツの送信をサポートするために、より効率的な方法が必要とされる。
【概要】
【０００７】
本開示の１つの観点において、ワイヤレス通信の方法は、ダウンリンクノードによって特定された無線リソースの割振りを使用して通信するための要求を、ダウンリンクノードから受信することと、無線リソースの特定された割振りのうちの少なくとも一部を使用して通信するための許可を、ダウンリンクノードに送信することとを含む。
【０００８】
本開示の別の観点において、ワイヤレス通信の方法は、無線リソースの特定された割振りを使用して通信するための要求を、アップリンクノードに送ることと、無線リソースの特定された割振りのうちの少なくとも一部を使用して通信するための許可を、アップリンクノードから受信することとを含む。
【０００９】
本開示のさらなる観点において、ワイヤレス通信のための装置は、ダウンリンクノードによって特定された無線リソースの割振りを使用して通信するための要求を、ダウンリンクノードから受信し、無線リソースの特定された割振りのうちの少なくとも一部を使用して通信するための許可を、ダウンリンクノードに送信するように構成されている媒体アクセス制御装置を含む。
【００１０】
本開示のさらに別の観点において、ワイヤレス通信のための装置は、無線リソースの特定された割振りを使用して通信するための要求を、アップリンクノードに送り、無線リソースの特定された割振りのうちの少なくとも一部を使用して通信するための許可を、アップリンクノードから受信するように構成されている媒体アクセス制御装置を含む。
【００１１】
本開示のさらに別の観点において、ワイヤレス通信のための装置は、ダウンリンクノードによって特定された無線リソースの割振りを使用して通信するための要求を、ダウンリンクノードから受信する手段と、無線リソースの特定された割振りのうちの少なくとも一部を使用して通信するための許可を、ダウンリンクノードに送信する手段とを含む。
【００１２】
本開示のさらなる観点において、ワイヤレス通信のための装置は、無線リソースの特定された割振りを使用して通信するための要求を、アップリンクノードに送る手段と、無線リソースの特定された割振りのうちの少なくとも一部を使用して通信するための許可を、アップリンクノードから受信する手段とを含む。
【００１３】
本開示のさらに別の観点において、ワイヤレス通信のためのコンピュータプログラムプロダクトは、ダウンリンクノードによって特定された無線リソースの割振りを使用して通信するための要求を、ダウンリンクノードから受信するためと、無線リソースの特定された割振りのうちの少なくとも一部を使用して通信するための許可を、ダウンリンクノードに送信するために、ワイヤレスノードにおける１つ以上のプロセッサによって実行可能な命令を有する機械読み取り可能媒体を含む。
【００１４】
本開示のさらなる観点において、ワイヤレス通信のためのコンピュータプログラムプロダクトは、無線リソースの特定された割振りを使用して通信するための要求を、アップリンクノードに送るためと、無線リソースの特定された割振りのうちの少なくとも一部を使用して通信するための許可を、アップリンクノードから受信するために、ワイヤレスノードにおける処理システムによって実行可能な命令を有する機械読み取り可能媒体を含む。
【００１５】
本開示のさらなる観点において、中継ポイントは、ダウンリンクノードとの無線通信をサポートするように構成されているワイヤレスネットワークアダプターと、ダウンリンクノードによって特定された無線リソースの割振りを使用して通信するための要求を、ダウンリンクノードから受信し、無線リソースの特定された割振りのうちの少なくとも一部を使用して通信するための許可を、ダウンリンクノードに送信するように構成されている媒体アクセス制御装置とを含む。
【００１６】
本開示の別の観点において、アクセスポイントは、ネットワークへのワイヤードバックホール接続と、ダウンリンクノードとの無線通信とをサポートするように構成されているネットワークアダプターと、ダウンリンクノードによって特定された無線リソースの割振りを使用して通信するための要求を、ダウンリンクノードから受信し、無線リソースの特定された割振りのうちの少なくとも一部を使用して通信するための許可を、ダウンリンクノードに送信するように構成されている媒体アクセス制御装置とを含む。
【００１７】
本開示のさらに別の観点において、中継ポイントは、アップリンクノードとの無線通信をサポートするように構成されているワイヤレスネットワークアダプターと、無線リソースの特定された割振りを使用して通信するための要求を、アップリンクノードに送り、無線リソースの特定された割振りのうちの少なくとも一部を使用して通信するための許可を、アップリンクノードから受信するように構成されている媒体アクセス制御装置とを含む。
【００１８】
本開示のさらに別の観点において、アクセス端末は、アップリンクノードとの無線通信をサポートするように構成されているワイヤレスネットワークアダプターと、無線リソースの特定された割振りを使用して通信するための要求を、アップリンクノードに送り、無線リソースの特定された割振りのうちの少なくとも一部を使用して通信するための許可を、アップリンクノードから受信するように構成されている媒体アクセス制御装置と、ワイヤレスネットワークアダプターへの、およびワイヤレスネットワークアダプターからのコンテンツを制御するように構成されているユーザインターフェースとを含む。
【００１９】
本発明の他の観点は、以下の詳細な説明から、当業者に容易に明らかになることが理解され、詳細な説明では、本発明のさまざまな観点を実例として示し、記述している。認識されるように、本発明は、他の、および異なる、設定および構成とすることができ、そのいくつかの詳細は、本開示の範囲から全く逸脱することなく、さまざまな他の点において修正できる。したがって、図面および詳細な説明は、本質的に実例であり、限定的でないと考えるべきである。
【図面の簡単な説明】
【００２０】
【図１】図１は、ワイヤレスネットワークの例を図示する概念図である。
【図２Ａ】図２Ａは、単一のホップ通信における、送信および受信のタイムスロットに関係付けられているコンテンツフローの例を図示する概念図である。
【図２Ｂ】図２Ｂは、単一のホップ通信における、送信および受信のタイムスロットに関係付けられているコンテンツフローの例を図示する概念図である。
【図３Ａ】図３Ａは、単一のホップ通信における、送信ノードおよび受信ノード間のタイミング関係に関係付けられているコールフローの例を図示する概念図である。
【図３Ｂ】図３Ｂは、単一のホップ通信における、送信ノードおよび受信ノード間のタイミング関係に関係付けられているコールフローの例を図示する概念図である。
【図４Ａ】図４Ａは、複数のホップ通信における、送信および受信のタイムスロットに関係付けられているコンテンツフローの例を図示する概念図である。
【図４Ｂ】図４Ｂは、複数のホップ通信における、送信および受信のタイムスロットに関係付けられているコンテンツフローの例を図示する概念図である。
【図５Ａ】図５Ａは、中間ワイヤレスノードを通して複数のホップ通信に従事している２つのワイヤレスノード間のタイミング関係に関係付けられているコールフローの例を図示する概念図である。
【図５Ｂ】図５Ｂは、中間ワイヤレスノードを通して複数のホップ通信に従事している２つのワイヤレスノード間のタイミング関係に関係付けられているコールフローの例を図示する概念図である。
【図６】図６は、ワイヤレスノードの機能の例を図示するブロック図である。
【図７Ａ】図７Ａは、媒体アクセス制御装置の機能の例を図示するブロック図である。
【図７Ｂ】図７Ｂは、媒体アクセス制御装置の機能の例を図示するブロック図である。
【詳細な説明】
【００２１】
添付図面に関連して以下で示す詳細な説明は、本発明のさまざまな構成の説明として向けられており、発明を実施してもよい唯一の構成を表すように向けられていない。詳細な説明は、本発明の完全な理解を提供するために特定の詳細な説明を含む。しかしながら、これらの特定の詳細な説明なしで、本発明を実施できることが当業者に明らかであるだろう。いくつかの例において、本発明の概念を不明瞭にすることを回避するために、ブロック図の形態で、よく知られている構造およびコンポーネントを示す。
【００２２】
図１は、ワイヤレスネットワーク１００の例を図示する概念図である。ワイヤレスネットワーク１００は、ワイヤレスノード１０２およびアクセス端末１０４として一般的に表される、いくつかのワイヤレスノードとともに示されている。ワイヤレスノードは、受信、送信、あるいはその両方を行ってもよい。以下の説明において、受信しているワイヤレスノードに言及するために、用語“受信ノード”を使用してもよく、送信しているワイヤレスノードに言及するために、用語“送信ノード”を使用してもよい。これらの呼称は、ワイヤレスノードが送信および受信の機能の両方を実行できないことを意味するものではない。
【００２３】
ワイヤレスノードは、アクセスポイント、中継ポイント、アクセス端末、またはそれらの任意の組み合わせとして機能してもよい。図１中で示すワイヤレスネットワーク１００の例において、ワイヤレスノード１０２のクラスタは共に機能して、多数のアクセス端末１０４にバックホールサービスを提供する。クラスタは、ワイヤレスノード１０２Ａを含み、ワイヤレスノード１０２Ａは、ネットワーク１００（例えば、セルラネットワークのようなＷＷＡＮ、ＷＬＡＮ、ＩＳＰ、インターネットなど）にバックホール接続を提供することによって、アクセスポイントとして機能する。しかしながら、このワイヤレスノード１０２Ａは、図１中で示していない他のアクセスポイントに対する中継ポイントとして機能してもよく、または、ワイヤレスネットワーク１００の動的な再構成に応答して中継機能を提供してもよい。クラスタはまた、２つのワイヤレスノード１０２Ｂ1および１０２Ｂ2を含み、２つのワイヤレスノード１０２Ｂ1および１０２Ｂ2は、アクセス端末１０４をアクセスポイント１０２Ａに接続する中継ポイントとして機能する。示していないが、これらのワイヤレスノード１０２Ｂ1および１０２Ｂ2は、他のアクセスポイントおよび中継ポイントへの接続を提供してもよい。同じワイヤレスノード１０２Ｂ1および１０２Ｂ2は、ネットワーク１００におけるワイヤレスノードの他のクラスタに対するアクセスポイントとして機能してもよい。
【００２４】
図１では、４つのアクセス端末１０４を示している。この例において、２つのアクセス端末１０４1および１０４2が、中継ポイント１０２Ｂ1によってアクセスポイント１０２Ａに接続され、１つのアクセスポイント１０４3が、中継ポイント１０２Ｂ2によってアクセスポイント１０２Ａに接続され、残りのアクセスポイント１０４4が、アクセスポイント１０２Ａに直接接続される。アクセス端末１０４は、ワイヤレスノード１０２との無線通信をサポートできる任意の移動ユーザデバイスであってもよく、一例として、移動またはセルラ電話機、パーソナルデジタルアシスタント（ＰＤＡ）、ラップトップコンピュータ、デジタルオーディオデバイス（例えば、ＭＰ３プレイヤー）、ゲームコンソール、デジタルカメラ、あるいは、他の音声、データ、オーディオ、ビデオ、メッセージング、またはマルチメディア、のデバイスを含む。いくつかの応用において、アクセス端末１０４はまた、ネットワーク１００中の他のワイヤレスノードに対するアクセスポイントおよび／または中継ポイントとして機能してもよい。
【００２５】
ワイヤレスネットワーク１００をサポートするために使用される、または採用される無線インターフェース仕様は、任意の適切な多元接続技術に基づくことができ、任意の適切な多元接続技術により、移動加入者は、利用可能な無線リソースを共有することが可能になる。そのような多元接続技術の例は、時分割多元接続（ＴＤＭＡ）、周波数分割多元接続（ＦＤＭＡ）、ＣＤＭＡ、広帯域ＣＤＭＡ（Ｗ−ＣＤＭＡ）、直交周波数分割多元接続（ＯＦＤＭＡ）、または、それらのいくつかの組み合わせを含む。
【００２６】
ＴＤＭＡ無線インターフェースプロトコルを使用するワイヤレスネットワーク１００に対する例をこれから示す。図２Ａおよび図２Ｂは、単一のホップ通信における、送信および受信のタイムスロットに関係付けられているコンテンツフローを示す概念図である。図２Ａを参照すると、コンテンツは、ワイヤレスノードＡからワイヤレスノードＢに送信される。ワイヤレスノードＡおよびＢは、いくつかのタイムスロット中で、送信および受信することが許可されている。一例として、図２Ｂを参照すると、ワイヤレスノードＡは、奇数番号のタイムスロット中で送信してもよく、ワイヤレスノードＢは、偶数番号のタイムスロット中で送信してもよい。逆に言えば、ワイヤレスノードＡは、偶数番号のタイムスロット中で受信してもよく、ワイヤレスノードＢは、奇数番号のタイムスロット中で受信してもよい。
【００２７】
いくつかの構成において、複数のチャネルを各タイムスロットにおいて確立してもよい。一例として、ハイブリッドＴＤＭＡ／ＦＤＭＡスキームにおいて、複数のワイヤレスノードとの同時の通信をサポートするために、いくつかの周波数帯域を各タイムスロット内で使用してもよい。別の例において、ハイブリッドＴＤＭＡ／ＣＤＭＡスキームにおいて、いくつかの拡散コードを使用してもよく、それゆえに、単一のタイムスロット中で同時の通信が可能になり、各通信に対するコンテンツは、異なるコードにより拡散されている。任意の特定の応用に適した、さまざまな多元接続技術を使用して、無線リソースを最良に分割する方法を当業者は容易に理解するだろう。
【００２８】
図１に戻ると、各ワイヤレスノードは、複数のダウンリンク接続を有していてもよい。この構成において、複数のダウンリンク接続を有する各ワイヤレスノードは、ダウンストリームワイヤレスノード間の無線リソースの共有（例えば、周波数帯域、拡散コードなど）を調整する必要があるかもしれない。一例として、アクセスポイント１０２Ａは、アクセス端末１０４4と、２つの中継ポイントである、１０２Ｂ1と、１０２Ｂ2との間に利用可能な無線リソースを割り振り、中継ポイント１０２Ｂ1は、２つのアクセス端末１０４1と１０４2との間に利用可能な無線リソースを割り振る。この例において、アクセスポイント１０２Ａおよび中継ポイント１０２Ｂ1は、スケジューリングアルゴリズムを用いて、無線リソースを割り振ってもよい。スケジューリングアルゴリズムは、先着順プロセスと同程度に単純であってもよい。代わりに、チャネルに依存するアルゴリズムを使用して、好適なチャネル条件を利用してもよい。公平性に基づいて、より単純なベストエフォートアルゴリズムを使用してもよく、それによって、各ダウンリンク接続に対するワイヤレスノードには、等しい帯域幅が与えられるか、または、ダウンリンク接続を有する非常に多数のワイヤレスノードがある場合、帯域幅が公正な方法でワイヤレスノード間で繰り返されるラウンドロビンプロセスが与えられる。当業者は、ワイヤレスネットワークの任意の特定の応用に対して適切なスケジューリングアルゴリズムを容易に決定できるだろう。
【００２９】
図３Ａおよび図３Ｂは、単一のホップ通信における、送信ノードおよび受信ノード間のタイミング関係の例を図示するコールフロー図である。図３Ａを参照すると、送信ノードは、図１中のアクセスポイント１０２Ａであり、受信ノードは、図１中のアクセス端末１０４4である。要求／許可スキームを使用して、アクセスポイント１０２Ａおよびアクセス端末１０４4間の通信を調整してもよい。一例として、アクセスポイント１０２Ａがダウンリンク上でアクセス端末１０４4に送信することを望むとき、アクセスポイント１０２Ａは、その送信タイムスロットのうちの１つ（例えば、タイムスロット１）中で要求を送信する。要求は、アクセスポイント１０２Ａが送信する予定である無線リソースの特定された割振り（例えば、周波数帯域、拡散コードなど）を含む。
【００３０】
アクセス端末１０４4は、その対応する受信タイムスロット中で要求を受信する。要求に応答して、アクセス端末１０４4は、その送信タイムスロットのうちの１つ（例えば、タイムスロット２）中で、アクセスポイント１０２Ａに許可を送信する。ここで、アクセス端末１０４4は、要求された無線リソースのすべてまたは一部に対して、要求を許可してもよい。一例として、アクセス端末１０４4は要求を許可して、比較的低レベルの干渉を最近示している、要求された周波数帯域上でのみ送信してもよい。
【００３１】
許可は、アクセスポイント１０２Ａによる、パケットフォーマットに対するチャネル品質およびデータレートの選択のような、追加の情報を含んでいてもよい。チャネル品質情報は、チャネル品質インジケータ（ＣＱＩ）を含んでいてもよい。ＣＱＩは、信号対雑音比（ＳＮＲ）や、信号対干渉雑音比（ＳＩＮＲ）などのような、性能メトリックを使用することによって計算してもよい。
【００３２】
その対応する受信タイムスロット中で許可を受信した後、アクセスポイント１０２Ａは、その送信タイムスロットのうちの１つ（例えば、タイムスロット３）中でアクセス端末１０４4にコンテンツを送信する。したがって、アクセス端末１０４4は、その対応する受信タイムスロット中でコンテンツを受信するだろう。
【００３３】
図３Ｂを参照すると、送信ノードは、図１中のアクセス端末１０４4であり、受信ノードは、図１中のアクセスポイント１０２Ａである。アクセス端末１０４4がアップリンク上でアクセスポイント１０２Ａに送信することを望むとき、アクセス端末１０４4は、その送信タイムスロットのうちの１つ（例えば、タイムスロット２）中で要求を送信する。要求は、バッファのステータス（すなわち、送信すべきコンテンツの量）およびサービス品質（ＱｏＳ）要求を含んでいてもよい。
【００３４】
アクセスポイント１０２Ａは、その対応する受信タイムスロット中で要求を受信する。要求に応答して、アクセスポイント１０２Ａは、その送信タイムスロットのうちの１つ（例えば、タイムスロット３）中でアクセスポイント１０２Ａに許可を送信してもよい。許可は、送信のために使用する、アクセス端末１０４4に対する、無線リソースの特定された割振りを含む。許可はまた、送信のためのパケットフォーマットおよびデータレートのような追加の情報を含んでいてもよい。
【００３５】
その対応する受信タイムスロット中で許可を受信した後、アクセス端末１０４4は、その送信タイムスロットのうちの１つ（例えば、タイムスロット４）中でアクセスポイント１０２Ａにコンテンツを送信する。したがって、アクセスポイント１０２Ａは、その対応する受信タイムスロット中でコンテンツを受信するだろう。
【００３６】
図４Ａおよび図４Ｂは、複数のホップ通信における、送信および受信タイムスロットに関係付けられているコンテンツフローを図示する概念図である。図４Ａを参照すると、コンテンツは、ワイヤレスノードＡから、ワイヤレスノードＢ、次にワイヤレスノードＣに送信される。単一のホップ通信に関して先に説明したように、ワイヤレスノードは、いくつかのタイムスロット中で送信および受信することが許可されている。一例として、図４Ｂを参照すると、ワイヤレスノードＡおよびＣは、奇数番号のタイムスロット中で送信してもよく、ワイヤレスノードＢは、偶数番号のタイムスロット中で送信してもよい。逆に言えば、ワイヤレスノードＡおよびＣは、偶数番号のタイムスロット中で受信してもよく、ワイヤレスノードＢは奇数番号のタイムスロット中で受信してもよい。
【００３７】
図５Ａおよび図５Ｂに関して、これから例を示す。図５Ａおよび図５Ｂは、中間ワイヤレスノードを通して複数のホップ通信に従事している２つのワイヤレスノード間のタイミング関係の例を図示するコールフロー図である。この例において、アクセスポイント１０２Ａは、中継ポイント１０２Ｂ1を通してアクセス端末１０４1と通信する（図１参照）。スループットを向上させ、利用可能な帯域幅を効率的に利用するために、中継ポイント１０２1は、アクセスポイント１０２Ａおよびアクセス端末１０４1と同時に通信するように構成されていてもよい。同時に通信するために、アップリンクおよびダウンリンクの両方で直交性を維持する方法で、無線リソースを中継ポイント１０２1に割り振らなければならない。問題は、中継ポイント１０２Ｂ1がタイムスロット１におけるダウンリンク送信要求中で無線リソースをアクセス端末１０４1に割り振るが、アクセスポイント１０２Ａがタイムスロット２において、オーバーラップする無線リソースをそれに確実に割り振らないようにする方法を、中継ポイント１０２Ｂ1が持たないことである。ダウンリンク送信で中継ポイント１０２Ｂ1によって使用されていない１組の無線リソースを含むようにアップリンク送信要求を修正することによって、この問題を解決してもよい。
【００３８】
図５Ａを参照すると、中継ポイント１０２Ｂ1が、ダウンリンク上でアクセス端末１０４1に、かつ、アップリンク上でアクセスポイント１０２Ａに同時に送信することを望むとき、中継ポイント１０２Ｂ1は、その送信タイムスロットのうちの１つ（例えば、タイムスロット１）中でそれぞれに要求を送信する。要求は、別々の制御チャネル上で送ってもよい。アクセス端末１０４1への要求は、中継ポイント１０２Ｂ1が送信することを予定する、無線リソースの特定された割振り（例えば、周波数帯域、拡散コードなど）を含む。アクセスポイント１０２Ａへの要求は、バッファのステータス、ＱｏＳ要求、および中継ポイント１０２Ｂ1が送信することを望む、無線リソースの特定された割振りを含む。無線リソースの特定された割振りは、アクセス端末１０４1へのダウンリンク送信に対して割り振られていない無線リソースから、中継ポイント１０２Ｂ1によって選択される。
【００３９】
いくつかの構成において、中継ポイント１０２Ｂ1によって選択される、無線リソースの特定された割振りは、以前の送信においてアクセスポイント１０２Ａによって識別された、１組の無線リソースからのものである。これらの構成において、アクセスポイント１０２Ａは、無線リソースを複数の組に、各ダウンストリームに対して１組に、分割してもよい。中継機能を提供する各ダウンストリームワイヤレスノードは、その組から無線リソースの割振りを選択して、アクセスポイント１０２Ａへのアップリンク送信要求において特定してもよい。
【００４０】
アクセス端末１０４1は、その対応する受信タイムスロット（例えば、タイムスロット１）中で、中継ポイント１０２Ｂ1からダウンリンク送信要求を受信する。要求に応答して、アクセス端末１０４1は、２つの間の制御チャネル上で、その送信タイムスロットのうちの１つ（例えば、タイムスロット２）中で、中継ポイント１０２Ｂ1に許可を送信してもよい。ここで、アクセス端末１０４1は、要求される無線リソースのすべてまたは一部に対して、要求を許可してもよい。許可はまた、中継ポイント１０２Ｂ1による、パケットフォーマットに対するチャネル品質およびデータレートの選択のような、追加の情報を含んでいてもよい。
【００４１】
アクセスポイント１０２Ａは、その対応する受信タイムスロット（例えば、タイムスロット１）中で、アップリンク送信要求を受信する。要求に応答して、アクセスポイント１０２Ａは、アップリンク送信に対する要求における、無線リソースの特定された割振りのうちの少なくとも一部を指定する。無線リソースの特定された割振りの指定された部分は、さまざまな要素に基づいていてもよい。一例として、中継ポイント１０２Ｂ1は、アクセス端末１０４1に対するＱｏＳ要求および／または中継ポイント１０２Ｂ1に関する現在の負荷に基づいて、アクセス端末１０４1によって特定された無線リソースのすべてまたは一部を指定してもよい。アクセスポイント１０２Ａは、制御チャネル上で、その送信タイムスロットのうちの１つ（例えば、タイムスロット２）中に、中継ポイント１０２Ｂ1によって特定された無線リソースの割振りを確認するか、または特定された無線リソースの指定した部分を識別する許可を、中継ポイント１０２Ｂ1に送信してもよい。許可はまた、送信に対するパケットフォーマットおよびデータレートのような追加情報を含んでいてもよい。
【００４２】
その対応する受信タイムスロット（例えば、タイムスロット２）中で、アクセス端末１０４1およびアクセスポイント１０２Ａの両方から許可を受信した後に、中継ポイント１０２Ｂ1は、その送信タイムスロットのうちの１つ（例えば、タイムスロット３）中で、アクセス端末１０４1およびアクセスポイント１０２Ａにコンテンツを同時に送信する。したがって、アクセス端末１０４1およびアクセスポイント１０２Ａは、それらのそれぞれの対応する受信タイムスロット（例えば、タイムスロット３）中で、コンテンツを受信するだろう。
【００４３】
図５Ｂを参照すると、アクセスポイント１０２Ａがダウンリンク上で中継ポイント１０２Ｂ1に送信することを望むとき、アクセスポイント１０２Ａは、その送信タイムスロットのうちの１つ（例えば、タイムスロット１）中で要求を送信する。要求は、アクセスポイント１０２Ａが送信を予定する、無線リソースの特定された割振りを含む。
【００４４】
アクセス端末１０４1がアップリンク上で中継ポイント１０２Ｂ1に送信することを望むとき、アクセス端末１０４1は、その送信タイムスロットのうちの１つ（例えば、タイムスロット１）中で要求を送信する。要求は、バッファのステータスおよびサービス品質（ＱｏＳ）要求を含む。
【００４５】
中継ポイント１０２Ｂ1は、その対応する受信タイムスロット（例えば、タイムスロット１）中で、両方の要求を受信する。アクセスポイント１０２Ａからのダウンリンク送信要求に応答して、中継ポイント１０２Ｂ1は、その送信タイムスロットのうちの１つ（例えば、タイムスロット２）中で、アクセスポイント１０２Ａに許可を送信してもよい。ここで、中継ポイント１０２Ｂ1は、要求される無線リソースのすべてまたは一部に対して、要求を許可してもよい。許可はまた、アクセスポイント１０２Ａによる、パケットフォーマットに対するチャネル品質およびデータレートの選択のような、追加情報を含んでいてもよい。
【００４６】
アクセス端末１０４1からのアップリンク送信要求に応答して、中継ポイント１０２Ｂ1は、その送信タイムスロットのうちの１つ（例えば、タイムスロット２）中で、アクセス端末１０４1に許可を送信してもよい。許可は、送信のために使用する、アクセス端末１０４1に対する、無線リソースの特定された割振りを含む。アクセス端末１０４1に対する、無線リソースの特定された割振りは、以前のタイムスロット上でアクセスポイント１０２Ａによってアクセス端末１０４1に割り振られたものとは異なっているはずである。許可はまた、送信に対するパケットフォーマットおよびデータレートのような追加情報を含んでいてもよい。
【００４７】
その対応する受信タイムスロット（例えば、タイムスロット２）中で許可を両方が受信した後、アクセスポイント１０２Ａおよびアクセス端末１０４1は、それらのそれぞれの送信タイムスロットのうちの１つ（例えば、タイムスロット３）中で、中継ポイント１０２Ｂ1にコンテンツを同時に送信する。したがって、中継ポイント１０２Ｂ1は、その対応する受信タイムスロット（例えば、タイムスロット３）中で、コンテンツを受信するだろう。
【００４８】
示したさまざまな概念は、２つのワイヤレスノード間の複数のホップ通信をサポートする中継ポイントの文脈において説明しているが、これらの概念は、互いに通信しない２つのワイヤレスノードへの、同時のアップリンクおよびダウンリンク送信をサポートする中継ポイントに拡張してもよいことを当業者は容易に理解するだろう。図１に戻ると、例えば、中継ポイント１０２Ｂ1は、アクセス端末１０４1からアクセスポイント１０２Ａにコンテンツを送信してもよく、その上、アクセスポイント１０２Ａから別のアクセス端末１０４2にコンテンツを同時に送信してもよい。
【００４９】
図６は、ワイヤレスノードの機能の例を図示するブロック図である。以下の記述は、本質的に、情報を与えるためのものであり、各ブロックの機能を広く規定する。本開示全体にわたって記述するさまざまな概念に関係する機能だけを記述する。当業者は、これらの機能ブロックが、ここで記述していない他の機能を提供できることを認識するだろう。この例において、ワイヤレスノード１０２は、２つの機能ブロック：ワイヤレスネットワークアダプター６０２と媒体アクセス制御装置６０４とを含む。
【００５０】
ワイヤレスノードは、アクセスポイントであってもよい。アクセスポイントとして機能を果たすワイヤレスノードにおいて、ネットワークアダプター６０２は、第１のノードとのワイヤレスダウンリンク接続を維持して、媒体アクセス制御装置６０４が、第２のノードと通信することを可能にする。第１のノードは中継ポイントであってもよく、第２のノードはアクセス端末であってもよいが、他のダウンリンク構成をサポートしてもよい。アクセスポイントにおけるネットワークアダプター６０２はまた、ネットワークへのワイヤードバックホール接続を維持する。
【００５１】
ワイヤレスノードは、アクセス端末であってもよい。アクセス端末として機能を果たすワイヤレスノードにおいて、ネットワークアダプター６０２は、第１のノードとのワイヤレスアップリンク接続を維持して、媒体アクセス制御装置６０４が、第２のノードと通信することを可能にする。ユーザインターフェース６０３が、第２のノードと通信されるコンテンツを制御するために使用される。第１のノードは中継ポイントであってもよく、第２のノードはアクセスポイントであってもよいが、他のアップリンク構成をサポートしてもよい。
【００５２】
アクセスポイントとアクセス端末とに関して上述したワイヤレスノードの機能を中継ポイント中で実現してもよい。この構成において、ネットワークアダプター６０２を使用して、第１のノードとのアップリンク接続またはダウンリンク接続のいずれかを維持して、媒体アクセス制御装置６０４が第２のノードと通信することを可能にしてもよい。一例として、ネットワークアダプター６０２は、別の中継ポイントとのアップリンク接続を維持して、媒体アクセス制御装置６０４がアクセスポイントと通信することを可能にしてもよい。代わりに、または、加えて、ネットワークアダプター６０２は、別の中継ポイントとのダウンリンク接続を維持して、媒体アクセス制御装置６０４がアクセス端末と通信することを可能にしてもよい。当業者が理解するように、他のアップリンクおよびダウンリンク構成を、ネットワークアダプター６０２によってサポートしてもよい。
【００５３】
ネットワークアダプター６０２は、受信機機能および送信機機能の両方を提供する。受信機機能は、ワイヤレス信号を復調することと、信号によって搬送されるコンテンツを取得することとを含む。送信機能は、コンテンツにより搬送波を変調することを含む。ワイヤレスネットワーク６０２は、ＲＦフロントエンド処理、ＡＤＣ、タイミングおよび周波数推定、チャネル推定、ターボコーディングなどのようなさまざまな機能を提供する。要約すると、ワイヤレスネットワークアダプター６０２は、ワイヤレスノード２０２の完全な物理層構成を提供する。
【００５４】
媒体アクセス制御装置６０４は、ワイヤレス媒体へのアクセスを制御するために使用される。媒体アクセス制御装置６０４は、ワイヤレスノード（例えば、アクセスポイント、中継ポイント、アクセス端末）の現在の機能に適応するスケジューリングアルゴリズムを使用する。媒体アクセス制御装置６０４は、先に論じた要求／許可スキームを使用して、他のワイヤレスノード間の通信をスケジュールすることを担当する。
【００５５】
媒体アクセス制御装置６０４は、ネットワークアダプター６０２によって維持されるワイヤレスダウンストリーム接続をサポートするように構成されていてもよい。この構成において、媒体アクセス制御装置６０４は、無線リソースの特定された割振りを含む送信要求を第１のノードから受信する。第１のノードからの送信要求において受信される、特定された無線リソースは、周波数割当て、拡散コード割当て、および他のタイプの無線リソースを含んでもよい。特定された無線リソースは、媒体アクセス制御装置６０４によって第１のノードに以前に送られた、無線リソースの割当てからのものであってもよい。この要求に応答して、媒体アクセス制御装置６０４は、特定された無線リソースのうちの少なくとも一部を指定する。代わりに、または、加えて、媒体アクセス制御装置６０４は、第１のノードによって特定されていない、追加の無線リソースを指定してもよい。指定は、一例として、サービス品質要求および／または負荷を含む、さまざまなパラメータに基づいていてもよい。指定された無線リソースは、許可メッセージ中で第１のノードに伝達される。
【００５６】
媒体アクセス制御装置６０４はまた、ネットワークアダプター６０２によって維持されるワイヤレスアップストリーム接続をサポートするように構成されていてもよい。この構成において、媒体アクセス制御装置６０４は、無線リソースの特定された割振りを使用して通信するための要求を第１のノードに送る。第１のノードからの送信要求において受信される、特定された無線リソースは、周波数割当て、拡散コード割当て、および他のタイプの無線リソースを含んでもよい。要求に応答して、媒体アクセス制御装置６０４は、無線リソースの特定された割振りのうちの少なくとも一部を使用して通信するための許可を第１のノードから受信する。
【００５７】
図７Ａは、ダウンリンク接続を有する媒体アクセス制御装置の機能の例を図示するブロック図である。媒体アクセス制御装置は、ダウンリンクノードによって特定された無線リソースの割振りを使用して通信するための要求をダウンリンクノードから受信するモジュール７０２Ａと、無線リソースの特定された割振りのうちの少なくとも一部を使用して通信するための許可をダウンリンクノードに送信するモジュール７０４Ａとを含む。
【００５８】
図７Ｂは、アップリンク接続を有する媒体アクセス制御装置の機能の例を図示するブロック図である。媒体アクセス制御装置は、無線リソースの特定された割振りを使用して通信するための要求をアップリンクノードに送るモジュール７０２Ｂと、無線リソースの特定された割振りのうちの少なくとも一部を使用して通信するための許可をアップリンクノードから受信するモジュール７０４Ｂとを含む。
【００５９】
ここで開示した観点に関連して記述したさまざまな実例となる論理ブロック、モジュールおよび回路は、集積回路（“ＩＣ”）、アクセス端末、アクセスポイントまたは中継ポイント内で実現してもよく、または、それらによって実行してもよい。ＩＣは、汎用プロセッサ、デジタル信号プロセッサ（ＤＳＰ）、特定用途向け集積回路（ＡＳＩＣ），フィールドプログラム可能ゲートアレイ（ＦＰＧＡ）または他のプログラム可能論理デバイス、ディスクリートゲートまたはトランジスタ論理、ディスクリートハードウェアコンポーネント、電気コンポーネント、光コンポーネント、機械式コンポーネント、あるいはここで記述した機能を実行するために設計されたそれらの任意の組み合わせを含んでいてもよく、ＩＣの内部に、ＩＣの外部に、またはその両方に存在するコードまたは命令を実行してもよい。汎用プロセッサは、マイクロプロセッサであってもよいが、代替として、プロセッサは、任意の従来のプロセッサ、制御装置、マイクロ制御装置、または状態遷移機械であってもよい。プロセッサはまた、計算デバイスの組み合わせ、例えば、ＤＳＰとマイクロプロセッサとの組み合わせ、複数のマイクロプロセッサ、ＤＳＰコアに関連した１つ以上のマイクロプロセッサ、または他の任意のこのような構成として実現してもよい。
【００６０】
コードまたは命令は、ソフトウェアアプリケーションをサポートするために、１つ以上の機械読み取り可能媒体に組み入れられていてもよい。ソフトウェアは、命令、プログラム、コード、あるいは、ソフトウェア、ファームウェア、ミドルウェア、マイクロコード、ハードウェア記述言語と呼ばれるか、または、そうではない、他の任意の電子媒体コンテンツを意味するように広く解釈すべきである。機械読み取り可能媒体は、ＡＳＩＣであってもよいようなプロセッサと一体化されている記憶装置を含んでいてもよい。機械読み取り可能媒体はまた、プロセッサの外部の記憶装置を含んでいてもよく、それらは、例えば、ランダムアクセスメモリ（ＲＡＭ）、フラッシュメモリ、読み出し専用メモリ（ＲＯＭ）、プログラム可能読み出し専用メモリ（ＰＲＯＭ）、消去可能ＰＲＯＭ（ＥＰＲＯＭ）、レジスタ、ハードディスク、リムーバルディスク、ＣＤ−ＲＯＭ、ＤＶＤまたは他の任意の適切な記憶デバイスを含んでいてもよい。さらに、機械読み取り可能媒体は、データ信号をエンコード化する伝送線路または搬送波を含んでいてもよい。当業者は、処理システムに対して記述した機能を最良に実現する方法を認識するだろう。さらに、いくつかの観点において、任意の適切なコンピュータプログラムプロダクトは、本開示の観点のうちの１つ以上に関するコードを含むコンピュータ読み取り可能媒体または機械読み取り可能媒体を備えていてもよい。いくつかの観点において、コンピュータプログラムプロダクトは、実装材料を含んでいてもよい。
【００６１】
いかなる当業者であってもここで記述したさまざまな観点を実施できるように、記述をこれまでに提供している。これらの観点に対してさまざまな修正が当業者に容易に明らかとなり、ここで規定した一般的な原理を他の観点に適用してもよい。したがって、特許請求の範囲は、ここで示した観点に限定されるように意図されていないが、言語特許請求の範囲に矛盾しない全範囲に一致すべきであり、ここで単一の要素に対する参照は、特にそう述べられていない限り、“１つおよびただ１つ”を意味するように意図されておらず、むしろ“１つまたはそれ以上”を意味するように意図されている。特に述べられていない限り、用語“いくつか”は、１つまたはそれ以上を指す。当業者に知られている、または後に知られるようになる、本開示全体を通して記述したさまざまな観点の要素に対するすべての構造的および機能的な均等物は、明白に、参照によりここに組み込まれ、特許請求の範囲により包含されるように意図されている。さらに、ここで開示したものは、そのような開示が特許請求の範囲中で明示的に記載されているかどうかにかかわらず、公開専用のものであるように意図されていない。要素がフレーズ“手段”を使用して明白に記載されていない限り、または方法の請求項のケースにおいて、要素がフレーズ“ステップ”を使用して記載されていない限り、請求項の要素は、合衆国法典第３５部１１２条第６項のもとで解釈すべきでない。
以下に、本願出願の当初の特許請求の範囲に記載された発明を付記する。
［１］ワイヤレス通信の方法において、
ダウンリンクノードによって特定された無線リソースの割振りを使用して通信するための要求を、前記ダウンリンクノードから受信することと、
前記無線リソースの特定された割振りのうちの少なくとも一部を使用して通信するための許可を、前記ダウンリンクノードに送信することとを含む方法。
［２］通信のための前記無線リソースの特定された割振りのうちの一部だけを指定することをさらに含み、前記ダウンリンクノードに送信される許可は、前記無線リソースの特定された割振りのうちの指定された部分を使用して通信するための許可を含む上記［１］記載の方法。
［３］サービス品質要求に基づいて、前記ダウンリンクノードによる通信のための前記無線リソースの特定された割振りのうちの少なくとも一部を指定することをさらに含み、前記ダウンリンクノードに送信される許可は、前記無線リソースの特定された割振りのうちの指定された部分を使用して通信するための許可を含む上記［１］記載の方法。
［４］負荷に基づいて、前記ダウンリンクノードによる通信のための前記無線リソースの特定された割振りのうちの少なくとも一部を指定することをさらに含み、前記ダウンリンクノードに送信される許可は、前記無線リソースの特定された割振りのうちの指定された部分を使用して通信するための許可を含む上記［１］記載の方法。
［５］前記無線リソースの特定された割振りは、周波数割当てを含む上記［１］記載の方法。
［６］前記無線リソースの特定された割振りは、拡散コード割当てを含む上記［１］記載の方法。
［７］無線リソースの割当てを前記ダウンリンクノードに提供することをさらに含み、前記ダウンリンクノードの要求によって特定された無線リソースの割振りは、前記無線リソースの割当てからのものである上記［１］記載の方法。
［８］無線リソースの第２の割当てを第２のダウンリンクノードに提供することをさらに含む上記［７］記載の方法。
［９］前記ダウンリンクノードに送信される許可は、通信するために前記ダウンリンクノードによって特定されていない、追加の無線リソースを含む上記［１］記載の方法。
［１０］前記ダウンリンクノードとの通信は、前記ダウンリンクノードから受信することを含む上記［１］記載の方法。
［１１］前記ダウンリンクノードとの通信は、前記ダウンリンクノードに送信することを含む上記［１］記載の方法。
［１２］ワイヤレス通信の方法において、
無線リソースの特定された割振りを使用して通信するための要求を、アップリンクノードに送ることと、
前記無線リソースの特定された割振りのうちの少なくとも一部を使用して通信するための許可を、前記アップリンクノードから受信することとを含む方法。
［１３］前記アップリンクノードから受信される許可は、前記要求された無線リソースの割振りを使用して通信するための許可を含む上記［１２］記載の方法。
［１４］前記アップリンクノードから受信される許可は、前記要求されたリソースの割振りのうちの一部だけを使用して通信するための許可を含む上記［１２］記載の方法。
［１５］前記無線リソースの特定された割振りは、周波数割当てを含む上記［１２］記載の方法。
［１６］前記無線リソースの特定された割振りは、拡散コード割当てを含む上記［１２］記載の方法。
［１７］前記アップリンクノードに対する無線リソースは複数のチャネルを含み、前記無線リソースの割振りは、前記チャネルのうちの１つ以上を記述するチャネル識別子によって、前記要求において特定される上記［１２］記載の方法。
［１８］前記アップリンクノードに対する無線リソースは複数のチャネルを含み、前記無線リソースの割振りは、前記チャネルのうちの１つの部分集合を記述するチャネル識別子によって、前記要求において特定される上記［１２］記載の方法。
［１９］前記要求において特定される無線リソースの特定された割振りは連続である上記［１２］記載の方法。
［２０］前記要求において特定される無線リソースの特定された割振りは非連続である上記［１２］記載の方法。
［２１］ワイヤレス通信のための装置において、
ダウンリンクノードによって特定された無線リソースの割振りを使用して通信するための要求を、前記ダウンリンクノードから受信し、前記無線リソースの特定された割振りのうちの少なくとも一部を使用して通信するための許可を、前記ダウンリンクノードに送信するように構成されている媒体アクセス制御装置を具備する装置。
［２２］前記媒体アクセス制御装置は、通信のための前記無線リソースの特定された割振りのうちの一部だけを指定するようにさらに構成されており、前記ダウンリンクノードに送信される許可は、前記無線リソースの特定された割振りのうちの指定された部分を使用して通信するための許可を含む上記［２１］記載の装置。
［２３］前記媒体アクセス制御装置は、サービス品質要求に基づいて、前記ダウンリンクノードによる通信のための前記無線リソースの特定された割振りのうちの少なくとも一部を指定するようにさらに構成されており、前記ダウンリンクノードに送信される許可は、前記無線リソースの特定された割振りのうちの指定された部分を使用して通信するための許可を含む上記［２１］記載の装置。
［２４］前記媒体アクセス制御装置は、負荷に基づいて、前記ダウンリンクノードによる通信のための前記無線リソースの特定された割振りのうちの少なくとも一部を指定するようにさらに構成されており、前記ダウンリンクノードに送信される許可は、前記無線リソースの特定された割振りのうちの指定された部分を使用して通信するための許可を含む上記［２１］記載の装置。
［２５］前記無線リソースの特定された割振りは、周波数割当てを含む上記［２１］記載の装置。
［２６］前記無線リソースの特定された割振りは、拡散コード割当てを含む上記［２１］記載の装置。
［２７］前記媒体アクセス制御装置は、無線リソースの割当てを前記ダウンリンクノードに提供するようにさらに構成されており、前記ダウンリンクノードの要求によって特定された無線リソースの割振りは、前記無線リソースの割当てからのものである上記［２１］記載の装置。
［２８］前記媒体アクセス制御装置は、無線リソースの第２の割当てを第２のダウンリンクノードに提供するようにさらに構成されている上記［２７］記載の装置。
［２９］前記ダウンリンクノードに送信される許可は、通信するために前記ダウンリンクノードによって特定されていない、追加の無線リソースを含む上記［２１］記載の装置。
［３０］前記媒体アクセス制御装置は、前記ダウンリンクノードから受信することによって、前記ダウンリンクノードと通信するようにさらに構成されている上記［２１］記載の装置。
［３１］前記媒体アクセス制御装置は、前記ダウンリンクノードに送信することによって、前記ダウンリンクノードと通信するようにさらに構成されている上記［２１］記載の装置。
［３２］ワイヤレス通信のための装置において、
無線リソースの特定された割振りを使用して通信するための要求を、アップリンクノードに送り、前記無線リソースの特定された割振りのうちの少なくとも一部を使用して通信するための許可を、前記アップリンクノードから受信するように構成されている媒体アクセス制御装置を具備する装置。
［３３］前記アップリンクノードから受信される許可は、前記要求された無線リソースの割振りを使用して通信するための許可を含む上記［３２］記載の装置。
［３４］前記アップリンクノードから受信される許可は、前記要求されたリソースの割振りのうちの一部だけを使用して通信するための許可を含む上記［３２］記載の装置。
［３５］前記無線リソースの特定された割振りは、周波数割当てを含む上記［３２］記載の装置。
［３６］前記無線リソースの特定された割振りは、拡散コード割当てを含む上記［３２］記載の装置。
［３７］前記アップリンクノードに対する無線リソースは複数のチャネルを含み、前記無線リソースの割振りは、前記チャネルのうちの１つ以上を記述するチャネル識別子によって、前記要求において特定される上記［３２］記載の装置。
［３８］前記アップリンクノードに対する無線リソースは複数のチャネルを含み、前記無線リソースの割振りは、前記チャネルのうちの１つの部分集合を記述するチャネル識別子によって、前記要求において特定される上記［３２］記載の装置。
［３９］前記要求において特定される無線リソースの割振りは連続である上記［３２］記載の装置。
［４０］前記要求において特定される無線リソースの割振りは非連続である上記［３２］記載の装置。
［４１］ワイヤレス通信のための装置において、
ダウンリンクノードによって特定された無線リソースの割振りを使用して通信するための要求を、前記ダウンリンクノードから受信する手段と、
前記無線リソースの特定された割振りのうちの少なくとも一部を使用して通信するための許可を、前記ダウンリンクノードに送信する手段とを具備する装置。
［４２］通信のための前記無線リソースの特定された割振りのうちの一部だけを指定する手段をさらに含み、前記ダウンリンクノードに送信される許可は、前記無線リソースの特定された割振りのうちの指定された部分を使用して通信するための許可を含む上記［４１］記載の装置。
［４３］サービス品質要求に基づいて、前記ダウンリンクノードによる通信のための前記無線リソースの特定された割振りのうちの少なくとも一部を指定する手段をさらに含み、前記ダウンリンクノードに送信される許可は、前記無線リソースの特定された割振りのうちの指定された部分を使用して通信するための許可を含む上記［４１］記載の装置。
［４４］負荷に基づいて、前記ダウンリンクノードによる通信のための前記無線リソースの特定された割振りのうちの少なくとも一部を指定する手段をさらに含み、前記ダウンリンクノードに送信される許可は、前記無線リソースの特定された割振りのうちの指定された部分を使用して通信するための許可を含む上記［４１］記載の装置。
［４５］前記無線リソースの特定された割振りは、周波数割当てを含む上記［４１］請求項４１記載の装置。
［４６］前記無線リソースの特定された割振りは、拡散コード割当てを含む上記［４１］記載の装置。
［４７］無線リソースの割当てを前記ダウンリンクノードに提供する手段をさらに含み、前記ダウンリンクノードの要求によって特定された無線リソースの割振りは、前記無線リソースの割当てからのものである上記［４１］記載の装置。
［４８］無線リソースの第２の割当てを第２のダウンリンクノードに提供する手段をさらに具備する上記［４７］記載の装置。
［４９］前記ダウンリンクノードに送信される許可は、通信するために前記ダウンリンクノードによって特定されていない、追加の無線リソースを含む上記［４１］記載の装置。
［５０］前記ダウンリンクノードとの通信は、前記第１のノードから受信することを含む上記［４１］記載の装置。
［５１］前記第１のノードとの通信は、前記第１のノードに送信することを含む上記［４１］記載の装置。
［５２］ワイヤレス通信のための装置において、
無線リソースの特定された割振りを使用して通信するための要求を、アップリンクノードに送る手段と、
前記無線リソースの特定された割振りのうちの少なくとも一部を使用して通信するための許可を、前記アップリンクノードから受信する手段とを具備する装置。
［５３］前記第１のノードから受信される許可は、前記要求された無線リソースの割振りを使用して通信するための許可を含む上記［５２］記載の装置。
［５４］前記第１のノードから受信される許可は、前記要求されたリソースの割振りのうちの一部だけを使用して通信するための許可を含む上記［５２］記載の装置。
［５５］前記無線リソースの特定された割振りは、周波数割当てを含む上記［５２］記載の装置。
［５６］前記無線リソースの特定された割振りは、拡散コード割当てを含む上記［５２］記載の装置。
［５７］前記アップリンクノードに対する無線リソースは複数のチャネルを含み、前記無線リソースの割振りは、前記チャネルのうちの１つ以上を記述するチャネル識別子によって、前記要求において特定される上記［５２］記載の装置。
［５８］前記アップリンクノードに対する無線リソースは複数のチャネルを含み、前記無線リソースの割振りは、前記チャネルのうちの１つの部分集合を記述するチャネル識別子によって、前記要求において特定される上記［５２］記載の装置。
［５９］前記要求において特定される無線リソースの割振りは連続である上記［５２］記載の装置。
［６０］ワイヤレス通信のためのコンピュータプログラムプロダクトにおいて、
ダウンリンクノードによって特定された無線リソースの割振りを使用して通信するための要求を、前記ダウンリンクノードから受信するためと、
前記無線リソースの特定された割振りのうちの少なくとも一部を使用して通信するための許可を、前記ダウンリンクノードに送信するために、ワイヤレスノードにおける１つ以上のプロセッサによって実行可能な命令を含む機械読み取り可能媒体を具備するコンピュータプログラムプロダクト。
［６１］ワイヤレス通信のためのコンピュータプログラムプロダクトにおいて、
無線リソースの特定された割振りを使用して通信するための要求を、アップリンクノードに送るためと、
前記無線リソースの特定された割振りのうちの少なくとも一部を使用して通信するための許可を、前記アップリンクノードから受信するために、ワイヤレスノードにおける処理システムによって実行可能な命令を含む機械読み取り可能媒体を具備するコンピュータプログラムプロダクト。
［６２］ワイヤレス通信のための中継ポイントにおいて、
ダウンリンクノードとの無線通信をサポートするように構成されているワイヤレスネットワークアダプターと、
前記ダウンリンクノードによって特定された無線リソースの割振りを使用して通信するための要求を、前記ダウンリンクノードから受信し、前記無線リソースの特定された割振りのうちの少なくとも一部を使用して通信するための許可を、前記ダウンリンクノードに送信するように構成されている媒体アクセス制御装置とを具備する中継ポイント。
［６３］ワイヤレス通信のためのアクセスポイントにおいて、
ネットワークへのワイヤードバックホール接続と、ダウンリンクノードとの無線通信とをサポートするように構成されているネットワークアダプターと、
前記ダウンリンクノードによって特定された無線リソースの割振りを使用して通信するための要求を、前記ダウンリンクノードから受信し、前記無線リソースの特定された割振りのうちの少なくとも一部を使用して通信するための許可を、前記ダウンリンクノードに送信するように構成されている媒体アクセス制御装置とを具備するアクセスポイント。
［６４］ワイヤレス通信のための中継ポイントにおいて、
アップリンクノードとの無線通信をサポートするように構成されているワイヤレスネットワークアダプターと、
無線リソースの特定された割振りを使用して通信するための要求を、前記アップリンクノードに送り、前記無線リソースの特定された割振りのうちの少なくとも一部を使用して通信するための許可を、前記アップリンクノードから受信するように構成されている媒体アクセス制御装置とを具備する中継ポイント。
［６５］ワイヤレス通信のためのアクセス端末において、
アップリンクノードとの無線通信をサポートするように構成されているワイヤレスネットワークアダプターと、
無線リソースの特定された割振りを使用して通信するための要求を、前記アップリンクノードに送り、前記無線リソースの特定された割振りのうちの少なくとも一部を使用して通信するための許可を、前記アップリンクノードから受信するように構成されている媒体アクセス制御装置と、
前記ワイヤレスネットワークアダプターからのデータに基づいて、指示を提供するように構成されているユーザインターフェースとを具備するアクセス端末。
【図１】
0005199363.tif 000002
【図２Ａ】
0005199363.tif 000003
【図２Ｂ】
0005199363.tif 000004
【図３Ａ】
0005199363.tif 000005
【図３Ｂ】
0005199363.tif 000006
【図４Ａ】
0005199363.tif 000007
【図４Ｂ】
0005199363.tif 000008
【図５Ａ】
0005199363.tif 000009
【図５Ｂ】
0005199363.tif 000010
【図６】
0005199363.tif 000011
【図７Ａ】
0005199363.tif 000012
【図７Ｂ】
0005199363.tif 000013